(57)【要約】【課題】本発明は魚釣用海図情報表示システムとこれを用いた魚釣用リールに関し、現在の釣船（釣場）の位置情報は勿論、海底の地形形状を始めとする様々な海図情報や実釣時の状況を表示器を介して釣人が確認することのできる魚釣用海図情報表示システムとこれを用いた魚釣用リールを提供することを目的とする。【解決手段】リール本体に装着され、釣人に釣り情報を表示する表示器と、自己の現在位置を検出する位置検出手段と、海図情報を記憶した記憶手段と、上記位置検出手段で検出された現在位置に対応する海図情報を記憶手段から読み出し、検出された現在位置と記憶手段から読み出した海図情報とを上記表示器に表示させる制御手段とからなる魚釣用海図情報表示システムを備えたことを特徴とする。【選択図】      図６
2004267083.tif 000002
【特許請求の範囲】
【請求項１】
リール本体に装着され、釣人に釣り情報を表示する表示器と、
自己の現在位置を検出する位置検出手段と、
海図情報を記憶した記憶手段と、
上記位置検出手段で検出された現在位置に対応する海図情報を記憶手段から読み出し、検出された現在位置と記憶手段から読み出した海図情報とを上記表示器に表示させる制御手段と、
からなる魚釣用海図情報表示システムを備えた魚釣用リール。
【請求項２】
魚釣用海図情報表示システムは、実釣状況を検出する実釣状況検出手段を備えると共に、記憶手段に記憶された海図情報は、海図に基づきデータ化された海底の地形形状を含み、
制御手段は、位置検出手段で検出された現在位置に対応する記憶手段の海図情報から現在位置近傍の海底の断面地形形状を求めて、当該断面地形形状と実釣状況検出手段で検出した実釣状況とを表示器に表示させることを特徴とする請求項１記載の魚釣用リール。
【請求項３】
釣人に釣り情報を表示する表示器と、
自己の現在位置を検出する位置検出手段と、
海図に基づきデータ化された海底の地形形状を含む海図情報を記憶した記憶手段と、
上記位置検出手段で検出された現在位置に対応する海図情報を記憶手段から読み出して、検出された現在位置と読み出した海図情報を上記表示器に表示させると共に、当該海図情報から現在位置近傍の海底の断面地形形状を求めて表示器に表示させる制御手段と、
からなることを特徴とする魚釣用海図情報表示システム。
【請求項４】
実釣状況を検出する実釣状況検出手段を備え、
制御手段は、実釣状況検出手段で検出した実釣状況を表示器に表示させることを特徴とする請求項３記載の魚釣用海図情報表示システム。
【発明の詳細な説明】
【０００１】
【発明の属する技術分野】
本発明は、魚釣用海図情報表示システムとこれを用いた魚釣用リールに関する。
【０００２】
【従来の技術】
近年、海上に於ける自船位置を把握する装置としてＧＰＳ等を用いた船舶用ナビゲーション装置が知られており、特にＧＰＳの場合、複数のＧＰＳ衛星から発信された電波を受信してその信号到達の時間差を計測することで位置の割り出しを行うため、船の現在位置を正確に把握することが可能である（例えば、下記の特許文献１参照。）。
【０００３】
また、昨今では、特許文献２に開示されるようにＧＰＳ衛星から発信された電波を受信するＧＰＳアンテナ部と、当該ＧＰＳアンテナ部で受信した電波の情報に基づいて現在位置を演算，出力するＧＰＳ信号処理部を備えたＧＰＳ機能付きリールも提案されており、この特許文献２では、更に潮の干満時刻情報を有する記憶部を有し、ＧＰＳ信号処理部から出力される位置情報と当該記憶部の潮の干満時刻情報に基づき、現在位置での潮の干満時刻情報を出力する潮の干満時刻算出部を備えたリールも開示されている。
【０００４】
【特許文献１】
特開平６−２２９７７５号公報（段落番号「０００７」〜「００１４」、図１）
【特許文献２】
特開２００１−１７８３２５号公報（段落番号「００１２」〜「００２５」、図２）
【０００５】
【発明が解決しようとする課題】
しかし乍ら、特許文献１，２に開示された従来例は、現在の船舶（釣場）の位置情報や現在位置での潮の干満時刻情報を表示器を介して釣人に表示するだけで、釣果の向上を図るには、更に海底の地形形状を始めとする様々な海図情報や実釣状況を表示器を介して釣人に表示，提供することが好ましく、斯かる機能を備えた魚釣用リールや魚釣用の情報表示システムが要望されていた。
【０００６】
本発明は斯かる実情に鑑み案出されたもので、現在の釣船（釣場）の位置情報は勿論、海底の地形形状を始めとする様々な海図情報や実釣時の状況を表示器を介して釣人が確認することのできる魚釣用海図情報表示システムとこれを用いた魚釣用リールを提供することを目的とする。
【０００７】
【課題を解決するための手段】
斯かる目的を達成するため、請求項１に係る魚釣用リールは、リール本体に装着され、釣人に釣り情報を表示する表示器と、自己の現在位置を検出する位置検出手段と、海図情報を記憶した記憶手段と、上記位置検出手段で検出された現在位置に対応する海図情報を記憶手段から読み出し、検出された現在位置と記憶手段から読み出した海図情報とを上記表示器に表示させる制御手段とからなる魚釣用海図情報表示システムを備えたことを特徴とする。
【０００８】
そして、請求項２に係る発明は、請求項１記載の魚釣用リールに於て、魚釣用海図情報表示システムは、実釣状況を検出する実釣状況検出手段を備えると共に、記憶手段に記憶された海図情報は、海図に基づきデータ化された海底の地形形状を含み、制御手段は、位置検出手段で検出された現在位置に対応する記憶手段の海図情報から現在位置近傍の海底の断面地形形状を求めて、当該断面地形形状と実釣状況検出手段で検出した実釣状況とを表示器に表示させることを特徴とする。
【０００９】
一方、請求項３に係る魚釣用海図情報表示システムは、釣人に釣り情報を表示する表示器と、自己の現在位置を検出する位置検出手段と、海図に基づきデータ化された海底の地形形状を含む海図情報を記憶した記憶手段と、上記位置検出手段で検出された現在位置に対応する海図情報を記憶手段から読み出して、検出された現在位置と読み出した海図情報を上記表示器に表示させると共に、当該海図情報から現在位置近傍の海底の断面地形形状を求めて表示器に表示させる制御手段とからなることを特徴としている。
【００１０】
そして、請求項４に係る発明は、請求項３記載の魚釣用海図情報表示システムに於て、実釣状況を検出する実釣状況検出手段を備え、制御手段は、実釣状況検出手段で検出した実釣状況を表示器に表示させることを特徴とする。
【００１１】
（作用）
請求項１に係る発明によれば、制御手段は、リール本体に装着された表示器に、位置検出手段で検出された現在位置と、記憶手段から読み出した海図情報とを表示させる。
【００１２】
そして、請求項２に係る発明によれば、制御手段は、位置検出手段で検出された現在位置に対応する記憶手段の海図情報から現在位置近傍の海底の断面地形形状を求めて、当該断面地形形状と実釣状況検出手段で検出した実釣状況とをリール本体の表示器に表示させることとなる。
また、請求項３に係る発明によれば、制御手段は、表示器に、位置検出手段で検出された現在位置と、記憶手段から読み出した海図情報とを表示させると共に、位置検出手段で検出された現在位置に対応する記憶手段の海図情報から現在位置近傍の海底の断面地形形状を求めて、当該断面地形形状を表示器に表示させ、請求項４に係る発明によれば、制御手段は、更に実釣状況検出手段で検出した実釣状況を表示器に表示させることとなる。
【００１３】
【発明の実施の形態】
以下、本発明の実施形態を図面に基づいて詳細に説明する。
図１乃至図６は請求項３及び請求項４の第一実施形態に係る魚釣用海図情報表示システムを備えた請求項１及び請求項２に係る魚釣用リールの一実施形態を示し、図１に於て、１はリール本体３のフレーム、５，７は当該フレーム１の左右に取り付く側板で、両側板５，７間にスプール軸を介してスプール９が回転可能に支持されている。
【００１４】
スプール９は、スプールモータの駆動やハンドル１１の巻取り操作で回転して釣糸が巻回されるようになっており、スプールモータはスプール９前方のフレーム１に一体成形されたモータケース内に収納されている。
そして、側板７の上部前方には、特許第２９７７９７８号公報で開示された魚釣用リールと同様、スプールモータのモータ出力を調節するレバー形状のモータ出力調節体（以下、「パワーレバー」という）１３がハンドル１１と同方向へ回転操作可能に取り付けられており、当該パワーレバー１３の操作で、制御ボックス１５内に装着した図２のマイクロコンピュータ（制御手段）１７が、モータ駆動回路１８を介してスプールモータ２０のモータ出力をモータ停止状態から最大値（０〜１００％）まで連続的に増減して、スプール９の巻取り速度を制御するようになっている。
【００１５】
また、図１に示すように側板７の後部側には、当該側板７内に装着したクラッチ機構のクラッチレバー１９が装着されており、このクラッチレバー１９の操作でクラッチ機構がＯＮ／ＯＦＦに切り換わって、スプール９へのスプールモータ２０やハンドル１１の駆動力が伝達／遮断されるようになっている。
一方、図１中、２１はスプール９の回転数とその回転方向を検出する回転検出手段で、当該回転検出手段２１は、フレーム１に装着された一対のリードスイッチ２３と、これに対向してスプール９の一端側周縁部に固着された複数のマグネット２５とで構成されており、リードスイッチ２３はマイクロコンピュータ１７のＣＰＵに接続されている。
【００１６】
而して、ＣＰＵは、特開平５−１０３５６７号公報で開示された魚釣用リールと同様、リードスイッチ２３から出力されるスプール９の正転，逆転の判定信号を取り込んで釣糸の繰出しか巻取りかを判定すると共に、リードスイッチ２３から取り込むスプール９の回転パルス信号をカウントして、この計数値を基にマイクロコンピュータ１７のＲＯＭに記憶された糸長計算式を演算実行するようになっている。
【００１７】
そして、図２に示すようにＣＰＵは、表示駆動回路２７を介してその演算結果を、制御ボックス１５の操作パネル２９上に設けた表示器３１に表示させるようになっており、釣り人は斯かる表示値を確認し乍ら、所定の水深に仕掛けを繰り出したり、ハンドル１１やパワーレバー１３の操作で釣糸を巻き上げることができる。
【００１８】
また、図１に示すように操作パネル２９上には、表示器３１に隣接してリセットスイッチ３３，モードスイッチ３５，棚メモスイッチ３７，コマセスイッチ３９，広域スイッチ４１，詳細スイッチ４３等が装着されており、これらはマイクロコンピュータ１７に接続されている。そして、図３に示すようにモードスイッチ３５の操作で、マイクロコンピュータ１７は「実釣モード」と「海図情報表示モード」に順次切り換わるようになっている。
【００１９】
即ち、既述したようにマイクロコンピュータ１７は、リードスイッチ２３から取り込むスプール９の回転パルス信号をカウントし、この計数値を基に糸長計算式を演算実行して演算結果を表示器３１に表示させるが、表示器３１は、従来周知のカラー液晶モニターと同様、微細な３種類のＬＣＤ画素を縦横方向に数万〜数十万画素配列したＬＣＤ表示器からなり、図３に示すように実釣モードに於て、表示器３１の中央に水面からの仕掛けの水深と、棚からの仕掛けの距離が上下２段に並列して表示されるようになっている。
【００２０】
尚、以下、表示器３１に於て、水面からの仕掛けの水深を示す部位を「上カラ表示部４５」、棚からの仕掛けの距離を示す部位を「棚カラ表示部４７」と称する。
そして、実釣モードに於て、マイクロコンピュータ１７はリードスイッチ２３からの回転パルス信号を基に釣糸の繰出し量を演算して、この演算結果を上カラ表示部４５に表示する。そして、釣糸が竿先から水面まで繰り出された処で釣り人がリセットスイッチ３３を操作すると、上カラ表示部４５の表示値が「０．０」にリセットされるようになっている。
【００２１】
この後、釣り人が釣糸を繰り出していくと、ＣＰＵで演算，計測された糸長値が上カラ表示部４５に表示され、そして、釣糸が例えば９５．５ｍ繰り出された処で棚メモスイッチ３７を操作すると、棚カラ表示部４７に「０．０」が表示されて棚位置が設定され、以後、図４に示すように棚位置から例えば１５ｍの釣糸の巻上げに伴う仕掛けの距離と水面からの繰出し量（水深）が、棚カラ表示部４７と上カラ表示部４５に夫々表示されるようになっている。
【００２２】
また、図４に示すように表示器３１には、更にデジタル文字によるデジタル表示部４９と、当該デジタル表示部４９を囲む８片のセグメント５１とで構成された従来周知のタイマー表示部５３が設けられており、上述したコマセスイッチ３９の操作で制御ボックス１５内のタイマ５４が作動し、そして、計時された時間がタイマー表示部５３に表示されて、コマセの詰替え時期が確認できるようになっている。
【００２３】
ところで、既述したように、近年、海上に於ける自船位置を把握する位置検出手段としてＧＰＳを用いた船舶用ナビゲーション装置が知られているが、本実施形態に係る魚釣用リール５５には、斯かるナビゲーション装置が装着されている。
即ち、図２に示すように魚釣用リール５５（リール本体３）内には、複数のＧＰＳ衛星５７から発信された電波をＧＰＳアンテナ５９で受信するＧＰＳ受信機６１が組み込まれており、受信した電波がマイクロコンピュータ１７に入力されている。
【００２４】
一方、図１に示すように魚釣用リール５５には、海図と当該海図に基づいてデータ化された海底の地形形状を記憶したＤＶＤ−ＲＯＭの如き光ディスク６３の読取り装置６５が、コード６７とコネクタ６８を介して脱着自在に接続されており、読取り装置６５の読取りデータはマイクロコンピュータ１７に入力されている。
【００２５】
そして、マイクロコンピュータ１７は、ＧＰＳ受信機６１で受信した電波から、魚釣用リール５５の現在位置を常時検出しており、釣人がモードスイッチ３５を操作してマイクロコンピュータ１７を実釣モードから海図情報表示モードに切り換えると、図５に示すようにＣＰＵは、表示器３１中央を海図表示部６９として、当該海図表示部６９上に、検出した現在位置とこの現在位置に於ける海図をリアルタイムで重ねて表示させるようになっている。
【００２６】
図５は海図情報表示モードに於ける海図表示部６９の表示状態を示し、図中、ポインタ７０は、魚釣用リール５５の位置、換言すれば魚釣用リール５５を持った釣人が乗船した釣船の位置とその進行方向を示し、また、図中、７１は海図表示部６９に表示された海図の等高線、７３は陸地を示す。そして、本実施形態では、釣船の進行方向が常に表示器３１の上を向くように設定されている。
【００２７】
また、図５に示すようにＣＰＵは、上述した海図表示部６９での表示と同時に、表示器３１の右側上部を新たに上カラ表示部４５−１と棚カラ表示部４７−１として、これらに仕掛けの水面からの水深と仕掛けの棚からの距離を上下２段に小さく表示させると共に、表示器３１の左側上部を小さくタイマー表示部５３−１として機能させるようになっており、釣人は斯かるタイマー表示部５３−１の表示からコマセの詰替え時期が確認できるようになっている。
【００２８】
尚、図示しないが、既述したポインタ７０の近接または海図表示部６９の下部側に、検出した自船位置の緯度と経度を同時に表示させてもよいし、また、ＧＰＳによって正確な時刻が検出できるため、表示器３１上に現在時刻を表示させるように構成してもよい。
そして、図５の表示状態で、釣人が操作パネル２９上の詳細スイッチ４３を順次操作していくと、自船位置を表示する海図の縮尺率が順次小さくなり、また、広域スイッチ４１を操作していくと、海図の縮尺率が順次大きく切り換わって海図が表示される。そして、最も縮尺率の小さい海図が表示される際に、ＣＰＵは、図６の如く海図表示部６９を左右２つの分割海図表示部６９ａ，６９ｂに分割させて、左側の分割海図表示部６９ａに海図と自船位置を表示させると共に、海図に基づきデータ化されて光ディスク６３に記憶された海底の地形形状から、船の進行方向に対して直交する方向（図６中、Ａ−Ｂ方向）の海底の断面地形形状７５を求めて、これを右側の分割海図表示部６９ｂに表示させ、更にまた、糸長計測された仕掛けの位置をポインタ７６で分割海図表示部６９ｂ上にリアルタイム表示させるようになっている。
【００２９】
その他、図６中、７７は分割海図表示部６９ｂに表示された海面、ポインタ７９は海面７７に浮かぶ自船を表している。
そして、図６の表示状態で釣人が広域スイッチ４１を操作すると、ＣＰＵは図５の如き表示状態に表示器３１を切り換え、また、モードスイッチ３５の操作でマイクロコンピュータ１７を海図情報表示モードから実釣モードに切り換えると、ＣＰＵは、表示器３１を図５，６の表示状態から図４の表示状態に戻すようになっている。
【００３０】
本実施形態に係る魚釣用海図情報表示システムとこれを装着した魚釣用リール５５はこのように構成されており、釣船に乗船した釣人は釣船によって所定のポイントに案内され、斯かるポイントで釣りを行うこととなるが、魚釣用リール５５を図示しないバッテリに接続することでマイクロコンピュータ１７等が起動し、ＣＰＵは、ＧＰＳ受信機６１で受信した電波から魚釣用リール５５の現在位置を常時検出していく。
【００３１】
そして、マイクロコンピュータ１７を実釣モードに設定して、クラッチレバー１９の操作でクラッチ機構をクラッチＯＦＦに切り換えれば、スプール９から釣糸が順次繰り出され、この繰出しに伴い計測された糸長計測値が上カラ表示部４５に表示される。そして、釣糸が例えば９５．５ｍ繰り出された処で棚メモスイッチ３７を操作すれば、棚カラ表示部４７に「０．０」が表示されて棚位置が設定され、以後、釣糸の巻上げに伴う棚からの仕掛けの位置と水面からの繰出し量が、棚カラ表示部４７と上カラ表示部４５に夫々表示されることとなる。
【００３２】
また、魚の当たりが合った場合に、クラッチレバー１９の操作でクラッチ機構をクラッチＯＮに切り換えれば、ハンドル１１やパワーレバー１３の操作で釣糸がスプール９に巻き取られ、釣場の状況に応じたパワーレバー１３の操作でスプールモータ２０が停止したり、巻取り速度が低速から高速へ連続的に切り換わることとなる。
【００３３】
一方、例えば実釣時に釣人がモードスイッチ３５を操作してマイクロコンピュータ１７を海図情報表示モードに切り換えれば、図５に示すようにＣＰＵは、表示器３１の海図表示部６９上に、検出した現在位置とこの現在位置に於ける海図をリアルタイムで重ねて表示する。
そして、釣人が詳細スイッチ４３を順次操作していくと、自船位置を表示する海図の縮尺率が順次小さくなり、広域スイッチ４１を操作していくと、海図の縮尺率が順次大きく切り換わって表示されるが、最も縮尺率の小さい海図が表示される際に、ＣＰＵは、図６の如く海図表示部６９を左右２つの分割海図表示部６９ａ，６９ｂに分割させて、左側の分割海図表示部６９ａに海図と自船位置を表示させると共に、光ディスク６３に記憶された海底の地形形状から、船の進行方向に対して直交する方向の海底の断面地形形状７５を求めて、これを右側の分割海図表示部６９ｂに表示させ、更にまた、糸長計測された仕掛けの位置を、ポインタ７６で分割海図表示部６９ｂ上にリアルタイム表示させる。
【００３４】
また、これと同時にＣＰＵは、上カラ表示部４５−１と棚カラ表示部４７−１に、夫々、仕掛けの水面からの水深と仕掛けの棚からの距離を上下２段に小さく表示させると共に、コマセスイッチ３９の操作に応じて、タイマー表示部５３−１に計時値を表示させる。
そして、図６の表示状態で釣人が広域スイッチ４１を操作すると、ＣＰＵは図５の如き表示状態に表示器３１を切り換え、また、モードスイッチ３５の操作でマイクロコンピュータ１７を海図情報表示モードから実釣モードに切り換えれば、ＣＰＵは、表示器３１を図５，６の表示状態から図４の表示状態に戻すこととなる。
【００３５】
このように本実施形態に係る魚釣用海図情報表示システムを備えた魚釣用リールは、糸長計測値やコマセタイマの計時値といった実釣状況を表示器３１に表示させる従来技術に加え、自船位置やこの自船位置近傍の海底の断面地形形状等の海図情報を表示器３１に表示させるように構成したので、従来に比し多くの海図情報や実釣状況を表示器３１を介して釣人に表示，提供することが可能となり、釣果の向上が図れる利点を有する。
【００３６】
尚、上記実施形態では、操作パネル２９上に装着した一つの表示器３１に実釣状況（糸長計測値，コマセタイマの計時値）と海図情報（自船位置，海底の断面地形形状）を表示させたが、図７に示す魚釣用リール５５−１の如く、操作パネル２９に設けた表示器３１−１には、従来と同様、糸長計測値やコマセタイマの計時値といった実釣状況を表示させると共に、当該表示器３１−１の上方にカセット式表示器８１の挿着部８３を設け、当該挿着部８３にカセット式表示器８１を挿着することで、ＣＰＵが自動的に実釣モードから海図情報表示モードに切り換わって、既述した海図情報がこのカセット式表示器８１に表示されるように構成してもよい。
【００３７】
また、既述した読取り装置６５を上記カセット式表示器８１とを一体化したり、読取り装置６５をリール本体３と一体化してもよく、これらの各実施形態によっても、図１の実施形態と同様、所期の目的を達成することが可能である。
更にまた、図１の実施形態では、魚釣用海図情報表示システムの実釣状況検出手段として糸長計測手段を用いたが、斯かる糸長計測手段と共に、例えば釣船に艤装した魚群探知機等を実釣状況検出手段として利用し、そのデータを魚釣用リールに取り込んで表示器に表示させるようにしてもよい。
【００３８】
図８は請求項３及び請求項４の第二実施形態に係る魚釣用海図情報表示システムを備えた魚釣用海図情報表示装置（以下、「表示装置」という）の正面図を示し、図中、８５は図示しないフックを介して釣船の船べりに係止可能な表示装置８７のケーシングで、その正面８９に第１海図表示器９１と第２海図表示器９３が上下に装着されている。
【００３９】
そして、図９に示すようにケーシング８５内には、複数のＧＰＳ衛星５７から発信された電波をＧＰＳアンテナ５９で受信するＧＰＳ受信機６１が組み込まれており、受信した電波がケーシング８５内に装着されたマイクロコンピュータ９５に入力されている。
また、ケーシング８５の側面９７には、ケーシング８５内に装着した読取り装置６５の挿入口９９が装着されており、当該挿入口９９に既述した光ディスク６３を挿入すると、マイクロコンピュータ９５は、図８に示すように検出した釣船（図中、ポインタ１００）の現在位置と光ディスク６３から読み出したこの現在位置に於ける海図を、表示駆動回路１０１を介して第２海図表示器９３にリアルタイムで重ねて表示させると共に、海図に基づきデータ化されて光ディスク６３に記憶された海底の地形形状から、表示装置８７を取り付けた釣船の進行方向に対して直交する方向（図８中、Ａ−Ｂ方向）の海底の断面地形形状１０２を求めて、これを第１海図表示器９１に表示させるようになっている。
【００４０】
更にまた、ケーシング８５の側面９７には、魚釣用リール１０３と釣船に艤装した魚群探知機１０５とを図示しないコードで接続する接続口１０７，１０９が設けられており、マイクロコンピュータ９５は、魚釣用リール１０３に組み込まれた糸長計測手段からの釣糸の繰出し量と棚位置のデータを入力すると共に、魚群探知機１０５から魚群データを入力して、第１海図表示器９１に、ポインタ１１１で自船位置を、ポインタ１１３，１１５で、夫々、仕掛けの位置と魚群の位置を表示させ、更に魚釣用リール１０３側で設定された棚位置を破線１１７で表示させると共に、それらの水深を各ポインタ１１１，１１３，１１５の近接に表示させるようになっている。
【００４１】
尚、魚釣用リール１０３と魚群探知機１０５からのデータを無線で入力するように構成してもよい。
その他、図中、１１９はＯＮ／ＯＦＦスイッチで、表示装置８７は当該ＯＮ／ＯＦＦスイッチ１１９の操作で起動／停止するように構成されている。
本実施形態はこのように構成されているから、釣船に乗船した釣人は船べりに表示装置８７を係止して、これに魚釣用リール１０３と魚群探知機１０５を接続してＯＮ／ＯＦＦスイッチ１１９をＯＮ操作すればよい。
【００４２】
而して、表示装置８７が起動すると、マイクロコンピュータ９５は、ＧＰＳ衛星５７から受信した電波から釣船の現在位置を検出して、図８の如く検出した釣船（図中、ポインタ１００）の現在位置と光ディスク６３から読み出したこの現在位置に於ける海図を第２海図表示器９３にリアルタイムで重ねて表示させると共に、海図に基づきデータ化されて光ディスク６３に記憶された海底の地形形状から、表示装置８７を取り付けた釣船の進行方向に対して直交する方向の海底の断面地形形状１０２を求めて、これを第１海図表示器９１に表示させる。
【００４３】
また、これと同時に、マイクロコンピュータ９５は、第１海図表示器９１に、ポインタ１１１で自船位置を、ポインタ１１３，１１５で、夫々、仕掛けの位置と魚群の位置を表示し、更に魚釣用リール１０３側で設定された棚位置を破線１１７で表示させると共に、それらの水深を各ポインタ１１１，１１３，１１５の近接に表示させる。
【００４４】
従って、本実施形態によれば、実釣時に表示装置８７を釣人の近くの船べりに係止させることで、従来に比し多くの海図情報や実釣状況を表示器３１を介して釣人に表示，提供することが可能となり、釣果の向上が図れる利点を有する。
尚、上述した各実施形態では、実釣状況検出手段で検出した実釣状況を表示器に表示させたが、図示しない請求項１，３の実施形態の如く、海図情報のみを表示器に表示させるように構成してもよい。
【００４５】
また、上述の実施形態では、船の進行方向に対して直交する方向の海底の断面地形形状を求めて表示したが、海底の地形形状の具体的表示方法は、海図データやプログラムソフト等によって種々変更可能である。
【００４６】
【発明の効果】
以上述べたように、各請求項に係る発明によれば、従来に比し多くの海図情報や実釣状況を表示器を介して釣人に表示，提供することが可能となるため、釣果の向上が図れる利点を有する。
【図面の簡単な説明】
【図１】請求項３及び請求項４の第一実施形態に係る魚釣用海図情報表示システムを備えた請求項１及び請求項２に係る魚釣用リールの平面図である。
【図２】図１に示す魚釣用リールの制御ブロック図である。
【図３】マイクロコンピュータのモードの変化を示すフローチャートである。
【図４】表示器の平面図である。
【図５】表示器の拡大平面図である。
【図６】表示器の拡大平面図である。
【図７】請求項１及び請求項２の他の実施形態に係る魚釣用リールの側面図である。
【図８】請求項３及び請求項４の第一実施形態に係る魚釣用海図情報表示システムを備えた表示装置の正面図である。
【図９】請求項３及び請求項４の第二実施形態に係る魚釣用海図情報表示システムのブロック図である。
【符号の説明】
３  リール本体
９  スプール
１１  ハンドル
１３  パワーレバー
１５  制御ボックス
１７，９５  マイクロコンピュータ
１９  クラッチレバー
２０  スプールモータ
２１  回転検出手段
２９  操作パネル
３１，３１−１  表示器
４５  上カラ表示部
４７  棚カラ表示部
５３    タイマー表示部
５５，５５−１  魚釣用リール
５７  ＧＰＳ衛星
５９  ＧＰＳアンテナ
６１  ＧＰＳ受信機
６３  光ディスク
６５  読取り装置
６９  海図表示部
６９ａ，６９ｂ  分割海図表示部
７０，７６，７９，１００，１１１，１１３，１１５  ポインタ
７１  等高線
８１  カセット式表示器
８５  ケーシング
８７  表示装置
９１  第１海図表示器
９３  第２海図表示器
９９  挿入口
１１９  ＯＮ／ＯＦＦスイッチ
【図１】
2004267083.tif 000003
【図２】
2004267083.tif 000004
【図３】
2004267083.tif 000005
【図４】
2004267083.tif 000006
【図５】
2004267083.tif 000007
【図６】
2004267083.tif 000008
【図７】
2004267083.tif 000009
【図８】
2004267083.tif 000010
【図９】
2004267083.tif 000011